(57)【要約】      （修正有）【課題】コンピュータディスプレイが目の高さまで持ち上げられることができ、移動のために平らに折り畳まれることができる、ラップトップコンピュータのための調節可能な支持構造を提供する。【解決手段】支持プラットフォーム９と、フット部分３と、１対のレッグ５，７と、該レッグを前記支持プラットフォームと前記フット部分との間に回転可能に結合するための複数のヒンジ１１が設けられたスタンドによりラップトップコンピュータを支持可能とする。【選択図】図１
2008293481.tif 000002
【特許請求の範囲】
【請求項１】
スタンドにおいて、
支持プラットフォームと、フット部分と、１対のレッグと、該レッグを前記支持プラットフォームと前記フット部分との間に回転可能に結合するための複数のヒンジが設けられていることを特徴とする、スタンド。
【請求項２】
前記ヒンジのそれぞれが、前記支持プラットフォーム及びフット部分のそれぞれから延びておりかつ、前記１対のレッグのそれぞれから延びた少なくとも１つの支持体において回転するように適合されたヒンジピンと、前記少なくとも１つの支持個所において前記ヒンジピンを包囲しかつ前記ヒンジピンの回転を制限するヒンジキャップとを含む、請求項１記載のスタンド。
【請求項３】
前記ヒンジピンが、ヒンジキャップ内で停止当接部の向き合ったエッジの間で前記支持体における回転を制限するための突出部を含む、請求項２記載のスタンド。
【請求項４】
前記停止当接部が、それぞれの前記ヒンジの約０度から約２７５度の回転範囲を規定しており、前記ヒンジが０度に回転された場合に前記スタンドが平らに折り畳まれ、前記ヒンジが２７５度に回転させられた場合に前記スタンドは重量支持構成に拡張される、請求項３記載のスタンド。
【請求項５】
前記支持プラットフォームが、該支持プラットフォームの開口内に前記フット部分及び１対のレッグを収容するために概してＣ字形であり、これにより前記スタンドが平らに折り畳まれる、請求項１記載のスタンド。
【請求項６】
概してＣ字形の支持プラットフォームと、フット部分と、１対のレッグと、前記支持プラットフォームと前記フット部分との間に前記レッグを回転可能に結合するための複数のヒンジとを有するスタンドを折り畳む方法において、
前記フット部分を、後方へ前記レッグ部分の背後に折り畳み、
前記レッグ部分を持ち上げるように前記フット部分を前記支持プラットフォームフット部分の上方に持ち上げ、
前記フット部分を前記Ｃ字形の支持プラットフォームにおける開口を通って折り畳み、次いで、後方へ折り畳み、前記スタンドが平らに折り畳まれるように前記フット部分及びレッグ部分を前記支持プラットフォーム内に折り畳むことを特徴とする、スタンドを折り畳む方法。
【発明の詳細な説明】
【技術分野】
【０００１】
本発明は概して可搬式スタンド、特にラップトップコンピュータを支持するための折畳み式スタンドに関する。
【背景技術】
【０００２】
収納目的のためにコンパクトな状態に折畳み可能なスタンドを含む、ラップトップコンピュータのためのスタンドが技術上知られている。
【０００３】
例えば、米国特許第５５１１７５８号明細書は、ノートブック型コンピュータを支持するための折畳み式ブレースによって結合された２つの平行な支持体を有する折畳み式スタンドを開示している。折畳み式ブレースは、リンクによって回動可能に枢着されておりかつ支持体の間に回動可能に枢着された２つのブレーシングバーを有する。支持体は、ノートブックコンピュータを快適な操作のための傾斜した位置に支持するための、個々の傾斜した上側壁部と、スタンドを折り畳むために折畳みブレースが折り畳まれた場合に１つのブレーシングバーを収容するための細長い底部開口とを有する。
【０００４】
米国特許第５６０７１３５号明細書は、ベース区分と、上昇及びベース区分内へ下降させられることができるバックレスト区分と、上昇及びベース内へ下降させられることができかつベース区分の前側部分に配置された１対の突起とを有しており、これにより、バックレスト区分と突起とが上昇した条件にある場合、タブレットがバックレスト区分によって保持され、タブレットの底部は、ベース区分によって保持されかつ突起の対によって固定される。ホルダ区分は、ベース区分内へ折畳み可能であり、バックレスト区分の背後にヒンジ結合されており、ベース区分の部分に保持されており、これにより、バックレスト区分は固定されている。
【０００５】
米国特許第５９１５６６１号明細書は、コンピュータディスプレイの見る角度の変更を可能にするために、可搬式コンピュータのための折畳み式デスクスタンドと、可搬式コンピュータを外部の周辺デバイスに接続する能力とを開示している。可搬式コンピュータは、データ入力が最も便利であるように右利き及び左利きの人が可搬式コンピュータを位置決めすることができるようにスタンド上に位置決めされることができる。スタンドは、スタンドが折り畳まれた位置においてロックされることを可能にするための特徴を有する。調整可能なハンドストラップアセンブリも設けられている。
【０００６】
米国特許第６０７６７８７号明細書は、収納のためにコンパクトな状態に折り畳むことができる、ラップトップコンピュータを保持するための可搬式スタンドを開示している。可搬式スタンドは、床面に載置されるための１対のベース脚部を備えた細長いベース部材と、垂直に延びたポスト部材のセットと、ラップトップコンピュータを使用のための準備ができた位置に保持するための１対の支持ウイングを備えた細長いプラットフォーム部材とを有している。ベース脚部は、ベース部材に並置されたコンパクトな位置から、ベース部材に対して実質的に直角な延長した位置まで旋回するように、細長いベース部材に可動に取り付けられている。ポスト部材は、互いに可動に取り付けられており、細長いベース部材に可動に取り付けられており、細長いプラットフォーム部材に可動に取り付けられている。ベース脚部及び支持ウイングは、ベース部材及び支持部材からそれぞれ実質的に水平に旋回するのに対し、ポスト部材は、互いに対して及び細長いベース及び支持部材に対して実質的に垂直に旋回する。
【０００７】
米国特許第６５０５７９７号明細書は、椅子又は水平なエッジを有する同様の垂直な構造体に取り付けられるように適合されたラップトップコンピュータスタンドを開示している。懸垂フレームアセンブリは、一方の極端位置において椅子のエッジを収容しかつ他方の極端位置において懸垂フレームアセンブリ内に引込み可能な、回動可能に枢着されたアーチ状のアームを一方の端部に有する。懸垂フレームアセンブリは、一方の極端位置において懸垂フレームアセンブリを収容しかつ他方の極端位置において懸垂フレームアセンブリと実質的に矩形の関係にあるベースフレームアセンブリに回動可能に枢着されている。回動可能に枢着されたレッグ部材は、一方の極端位置においてベースフレームアセンブリを所定の角度まで持ち上げるために使用され、別の位置においてスペーサとして使用され、他方の極端位置においてレッグ部材は懸垂フレームスペースと収容される。リテーナ部材に回動可能に枢着されたフランジは、ラップトップコンピュータが滑り落ちるのを防ぐためにラップトップコンピュータのためのストッパとして働くためにベースフレームアセンブリの遠位端部に取り付けられている。
【０００８】
米国特許第６５４５８６４号明細書は、Ｕ字形ポケット及び支持体を有する、ノートブック型コンピュータのためのノートブック型コンピュータスタンドを開示している。Ｕ字形ポケットは、キーボード、ＣＰＵ、マウス及び関連するハードウェアを収容するノートブック型コンピュータの比較的より厚いフレーム部分を収容する。ノートブック型コンピュータの枢着されたディスプレイは、見るのを容易にするためにポケット上に展開される。１つの実施形態において、ノートブック型コンピュータスタンドは、収納室、ノートブック型コンピュータに接続されたケーブルを案内するためのケーブルスロット、及びコンピュータスタンドの高さ、及び間接的にディスプレイの見る角度を変更するための高さ調節装置とを有する。
【０００９】
米国特許第６６８２０４０号明細書は、種々異なる傾斜角度でラップトップコンピュータを支持するためのスタンドを開示している。１つの実施形態によれば、上板が設けられており、上板は、上板のより狭い平行な側に沿って配置された多数のライザークラスタを含む台形を有する。ライザークラスタのそれぞれ１つは、ライザーエレメント内に嵌合しかつライザーエレメントを保持するように構成されていることができる。台形の下板はコネクタによって上板に結合されており、コネクタは、上板が下板に対して回転することを許容する。多数のラップトップ支持体は、上板のより広い平行な側に結合されており、スリップ防止形式でラップトップコンピュータの一方の端部を支持するように構成されていることができる。少なくとも２つのライザーエレメントが、少なくとも２つのライザークラスタにそれぞれ積層されることができる。少なくとも２つのライザーキャップは、少なくとも２つのライザーエレメント上に個々に積層されることができ、ラップトップコンピュータの反対側の端部を、スリップ防止形式で、ラップトップコンピュータの一方の端部よりも高い高さに支持する。ラップトップコンピュータの対流冷却及びキーボード傾斜を変化させるために、積層にライザーエレメントを加えるか又は積層からライザーエレメントを除去することによって、可変傾斜角度が与えられることができる。
【００１０】
米国特許第６８１９５４８号明細書は、ラップトップスタンドを開示しており、このラップトップスタンドは、ラップトップコンピュータを支持するために湾曲した構成になるように柔軟な実質的な平坦なベース部材と、少なくとも１つのブレース部材とを有しており、ブレース部材は、ベース部材を湾曲した状態において保持するために前記実質的に平坦なベース部材と係合可能である。ベース部材は、１つ又は２つ以上の支持エレメントを有する。支持エレメント及びベース部材は、支持エレメント及びベース部材に定置に係合するための保持開口又はスロットを有する。
【００１１】
米国特許第７０３５１００号明細書は、ノートブック型又はタブレットコンピュータを取り付けるための調整可能なスタンドを開示しており、このスタンドは、ベースと、ベースに取り付けられた第１の部材と、第１の部材に摺動可能に結合された第２の部材と、第２の部材に取り付けられたラップトップバックボードクレードルとを有する。第２の部材は、第１の部材に対してアーチ状に摺動可能であり、これにより、バックボードクレードルが、ベースに対して、完全に傾斜した位置から完全高さ位置まで調整可能に角度付けられることができる。ベースの側部に沿って複数のＵＳＢ入力及び出力ポートが配置されており、これらのポートのうちの幾つかに電力が供給されることができる。
【００１２】
米国特許第Ｄ４９５３３７号明細書は、調整可能なレッグを備えた可搬式コンピュータスタンドを示している。
【特許文献１】米国特許第５５１１７５８号明細書
【特許文献２】米国特許第５６０７１３５号明細書
【特許文献３】米国特許第５９１５６６１号明細書
【特許文献４】米国特許第６０７６７８７号明細書
【特許文献５】米国特許第６５０５７９７号明細書
【特許文献６】米国特許第６５４５８６４号明細書
【特許文献７】米国特許第６６８２０４０号明細書
【特許文献８】米国特許第６６８２０４０号明細書
【特許文献９】米国特許第６８１９５４８号明細書
【特許文献１０】米国特許第７０３５１００号明細書
【特許文献１１】米国特許第Ｄ４９５３３７号明細書
【発明の開示】
【課題を解決するための手段】
【００１３】
発明の概要
本発明の態様は、コンピュータディスプレイが目の高さまで持ち上げられることができ、移動のために平らに折り畳まれることができる、ラップトップコンピュータのための調節可能な支持構造を提供することである。
【００１４】
発明の別の態様によれば、調節可能な支持構造は、使用中にラップトップコンピュータによって発生される熱をよりよく放散させるために、ラップトップコンピュータの下側により多くの空気流を提供するための通気を提供するために構成されている。
【００１５】
発明の別の態様によれば、調節可能な支持構造は、ラップトップコンピュータにおける全てのデータポート又はアクセスドア／スロットがアクセス可能でありかつ妨害されないように、ラップトップコンピュータの全ての側部へのアクセスが妨害されないように構成されている。
【００１６】
典型的な実施形態による調節可能な支持構造は、少ない構成部材を用いて、安価に製造され、容易に組み立てられる。
【００１７】
上記態様は、支持プラットフォームと、フット部分と、１対のレッグと、レッグを支持プラットフォームとフット部分との間に回転可能に結合するための複数のヒンジとを含む、スタンドを有するスタンドによって達成されることができる。
【００１８】
これらは、引き続き明らかになるであろうその他の態様及び利点と共に、これらの態様及び利点は、以下により完全に説明されかつ請求項に記載されるような構造及び操作の詳細に存在し、それの部分を形成する添付の図面が参照され、この図面において同じ参照符号は全体を通じて同じ部材を示す。
【発明を実施するための最良の形態】
【００１９】
発明の典型的な実施形態が以下に示される。しかしながら、当業者は、その他の実施形態及び変更が可能であることを認めるであろう。
【００２０】
概して、本発明の支持構造は、強く、安定した、完全に平らに折り畳まれることができるスタンドを形成するために一連のヒンジを介して結合された複数の部材を含む。
【００２１】
図１は、完全に組み立てられた場合の、本発明によるスタンド１の第１の実施形態を示している。支持構造は、Ｉ字形のフット３と、２つのレッグ５及び７と、ラップトップコンピュータを支持するためのＣ字形のトッププラットフォーム９とを有する。この設計により、より静かな運転を生じるラップトップコンピュータを冷却するために、よりよい通気のためにラップトップコンピュータの下側及び周囲を空気が自由に流れることができる。
【００２２】
図２は、折り畳まれた状態におけるスタンドを示しており、支持構造は互いに重なっていない。折り畳まれた状態におけるスタンドの厚さを小さくするために、個々の部材３，５，７，９は互いに並んで（すなわち同一平面に）折り畳まれている。
【００２３】
図３Ａ〜図３Ｅを含む図３は、スタンド１が平らに折り畳まれる時の連続的な段階を示している。太い矢印は、スタンドが折り畳まれるときのボトムフット３の連続的な移動方向を示している。図３Ａにおいて、フット３は、図３Ｂの位置に向かって、下方及び後方へ折り畳まれる。次いで、図３Ｂの位置から、フット３は持ち上げられ、レッグ５及び７も図３Ｃの位置へ持ち上げる。次いで、フット３は、Ｃ字形のプラットフォーム９の中央を通って折り畳まれ（図３Ｄ）、次いで全ての部材３，５，７をプラットフォーム９内へ折り畳むように、後方へ折り畳まれる（図３Ｅ）。スタンドを開くためには単にこの作業を逆の順序で行う。
【００２４】
図４は、スタンド１の個々の構成部材、すなわち、Ｃ字形の支持プラットフォーム９、Ｉ字形のフット３、レッグ５及び７を示している。フット３及びプラットフォーム９はそれぞれ、以下で図６を参照にしてより詳しく説明されるように、各レッグ５及び７の端部から延びた支持部１３において回転する埋め込まれたヒンジピン１１を有しており、ヒンジキャップ１５によって被覆されている。ピン１１及び支持部１３を示すために、図１においてヒンジキャップ１５はレッグ７の端部から省略されている。必要ならば、例えば製造をためらうために、上述の部材の幾つかは、付加的なより小さな部材から製造されることができる。
【００２５】
図５に示されたように、組立ては容易かつ迅速である。第１に、各レッグ５及び７の支持部１３は、フット３及びプラットフォーム９の個々のヒンジピン１１に当接して配置される。次いで、個々のヒンジキャップ１５は、ヒンジピン１１に被せられ、キャップ１５を所定の位置に保持するために、孔２１を通るねじ又はボルトを介して固定される。
【００２６】
一緒に、ヒンジピン１１と、ヒンジキャップ１６と、各レッグ５及び７の支持部１３とは"フラッグヒンジ"を形成しており、このフラッグヒンジは、スタンド１が直立した状態にとどまるが、図３に示されたように平らに折り畳まれることを許容する。ほとんどのフラッグヒンジは自由に回転する。しかしながら、図６に示されたように、本発明のフラッグヒンジは、動作範囲を（好適には約０度と２７５度との間に）制限する。このことは、ヒンジギャップ１５内で停止当接部１９の向き合ったエッジの間で支持体１３において回転するヒンジピン１１の内部突出部１７を提供することによって達成される。
【００２７】
０度において、スタンド１は完全に平らである（すなわち収納又は運搬のために折り畳まれている）。２７５度において、スタンド１は完全に展開されており、プラットフォーム９上にラップトップコンピュータの重量を支持することができる。特に、プラットフォーム９上のラップトップコンピュータの重量はヒンジにおいて下方へ押し付けるが、２７５度限界を超える移動は停止当接部１９によって妨げられ、これにより、ラップトップコンピュータは所定の位置に保持され、スタンドを安定させる。例えば、使用者が、スタンド１上にある間にラップトップコンピュータを誤って前方へ例えば２６０度まで押すと、ラップトップコンピュータの重量がスタンド１を２７５度まで引き戻し、これにより、ラップトップコンピュータが落下するのを防ぐ。
【００２８】
ここに示された典型的な実施形態のためには０度〜２７５度の移動範囲が好適であるが、その他の角度も可能である。
【００２９】
発明の多くの特徴及び利点は詳細な明細書から明らかであり、したがって、発明は、発明の精神及び範囲に当てはまる発明の全てのこのような特徴及び利点をカバーすることが添付の請求項によって意図されている。さらに、多くの変更態様及び変更が当業者に容易に思い浮かぶので、発明を、例示及び説明された構成及び操作そのものに限定することは望ましくなく、したがって、全ての適切な変更及び均等物は、発明の範囲に当てはまることに頼られる。
【図面の簡単な説明】
【００３０】
【図１】発明の実施形態による、組み立てられた状態におけるスタンドの斜視図である。
【図２】折り畳まれた状態における、図１におけるスタンドの平面図である。
【図３】組み立てられた状態から折り畳まれた状態へ折り畳まれる図１のスタンドを示している。
【図４】図１におけるスタンドの個々の構成部材を示している。
【図５】図１におけるスタンドのヒンジ機構の組立てを示す詳細である。
【図６】図１におけるスタンドのヒンジピンを備えたヒンジキャップの詳細である。
【符号の説明】
【００３１】
１  スタンド、  ３  フット、  ５，７  レッグ、  ９  トッププラットフォーム、  １１  ヒンジピン、  １３  支持部、  １５  ヒンジキャップ、  １７  内部突出部、  １９  停止当接部
【図１】
2008293481.tif 000003
【図２】
2008293481.tif 000004
【図３】
2008293481.tif 000005
【図４】
2008293481.tif 000006
【図５】
2008293481.tif 000007
【図６】
2008293481.tif 000008